(57)【要約】【課題】  板状の接地部材と長尺の棒状の接地部材とを連結するときに容易に位置合わせが可能な接地極の板状部材を提供する。【解決手段】  地中に埋設して接地電流を大地に逃がすための接地極に用いられ、地中に打ち込み可能な長尺の棒状の接地部材の一端に接続用のピンを介して電気的に接続される板状の部材であって、幅方向中央に位置し、中央平坦部１１から段差をつけた中央段差部１２と、延伸部１３と面一に連なる中央平坦部１１とで構成される中央部と、幅方向の端に位置する端部１４と、中央部と端部１４とを面一に連ねる延伸部１３とを備え、接続用のピンを挿入するための２種の異径の大径孔部１６と小径孔部１７が、延伸部１３を除く箇所にそれぞれ複数開口されており、大径孔部１６の開口面積よりも広い覗き窓部１８が延伸部１３を除く箇所に開口されている。【選択図】図１
2019125415.tif 000002
【特許請求の範囲】
【請求項１】
地中に埋設して接地電流を大地に逃がすための接地極に用いられ、地中に打ち込み可能な長尺の棒状の接地部材の一端に接続用のピンを介して電気的に接続される板状の部材であって、
幅方向中央に位置する中央部と、幅方向の端に位置する端部と、中央部と端部とを面一に連ねる延伸部とを備え、
前記接続用のピンを挿入するための２種の異径の円形孔部が、前記延伸部を除く箇所にそれぞれ複数開口されている
ことを特徴とする接地極の板状部材。
【請求項２】
さらに、前記円形孔部の大きい方の径の開口面積よりも広い窓部が前記延伸部を除く箇所に開口されている
ことを特徴とする請求項１記載の接地極の板状部材。
【請求項３】
前記中央部は、
前記延伸部と面一に連なる中央平坦部と、
幅方向中央に位置し、前記中央平坦部から段差をつけた中央段差部とで構成され、
前記中央段差部に前記円形孔部が開口されている
ことを特徴とする請求項１又は２記載の接地極の板状部材。
【請求項４】
前記延伸部は、蛇腹状に形成され、幅方向へ網状に変形して伸長する
ことを特徴とする請求項１〜３のいずれか１項に記載の接地極の板状部材。
【発明の詳細な説明】
【技術分野】
【０００１】
本発明は、電力設備を接地するために、電柱等に近接する場所の地中に埋設して接地電流を大地に逃がすための接地極に関し、特に接地極に用いられる板状部材に関する。
【背景技術】
【０００２】
変圧器、避雷器、高圧機器等の電力設備を架設する電柱には、落雷や漏電による事故防止のため、電気設備に関する技術基準を定める省令により、接地対策が義務付けられている。接地対策としては、電柱に近接する場所の地中に接地極を埋設して、その接地極と電力設備を中継するために電柱に取り付けられる接地端子に接地極を接続する接地工事の施工がある。接地工事が施工されると、電力設備の運転の障害となる異常電流が生じた場合に、その異常電流は接地端子を経由して接地極に流れ、接地極から異常電流を大地に逃がして、電力設備の故障を未然に防ぐことが可能となる。接地工事で使用される接地極は、主に、導電性を有する棒状の接地棒や、接地棒同士を連結することで地中に深く打ち込むことができる連結式接地棒（特許文献１および特許文献２参照）などがある。
【０００３】
ところで、接地工事は、上記の省令により、電力設備の種類毎に必要とされる接地抵抗値が決められており、また、接地極は、地表から７５ｃｍ以上の深さに埋設しなければならないとされている。そのため、従来の接地棒または連結式接地棒を用いた接地工事では、逆円錐状の穴を掘削して、その穴の底部から接地棒または連結式接地棒をハンマーなどで地中に打ち込んで埋設していた。ここで、埋設した接地棒等の接地抵抗が省令で定める接地抵抗値に満たないときは、その接地棒等から離れた位置に、新たに埋設用の穴を掘削して、別の接地棒等を追加で打ち込まなければならず、接地抵抗が省令で定める接地抵抗値を満たすまでこれを繰り返す必要があった。
【０００４】
このような問題から、手間を掛けずに施工することができ、しかも、さらに接地抵抗を低減することを目的として、地中に打ち込み可能な長尺状の第一接地部材と、第一接地部材の一端に電気的に接続される板状の第二接地部材と、第一接地部材または第二接地部材に電気的に接続され、接地電流を流す接地線と接続するリード線とを備えた接地極およびその施工方法が開示されている（特許文献３参照）。
【０００５】
図４６は、従来の接地極の構成を示す図である。第二接地部材に相当する板状部材９１には、リード線９５が接続され、先端部９２および連結部９３を備える第一接地部材と板状部材９１とは、接続用ピン９４により接続されている。
【先行技術文献】
【特許文献】
【０００６】
【特許文献１】実開昭４９−５２０３６号公報
【特許文献２】特開平０９−２９８０７３号公報
【特許文献３】特開２０１０−１４６９３８号公報
【発明の概要】
【発明が解決しようとする課題】
【０００７】
しかしながら、上記従来の接地極では、板状部材と第一接地部材とを連結するとき、接続用ピンを板状部材に穿設された孔を通して第一接地部材の一端と位置合わせをしなければならないところ、第一接地部材は既に地中に打ち込まれているために位置合わせが困難で作業効率が悪いという問題がある。
【０００８】
そこで、本発明は、上記のような問題点に鑑みなされたものであり、板状の接地部材と長尺の棒状の接地部材とを連結するときに容易に位置合わせが可能な接地極の板状部材を提供することを目的とする。
【課題を解決するための手段】
【０００９】
上記の課題を解決するため、本発明に係る接地極の板状部材は、地中に埋設して接地電流を大地に逃がすための接地極に用いられ、地中に打ち込み可能な長尺の棒状の接地部材の一端に接続用のピンを介して電気的に接続される板状の部材であって、幅方向中央に位置する中央部と、幅方向の端に位置する端部と、中央部と端部とを面一に連ねる延伸部とを備え、前記接続用のピンを挿入するための２種の異径の円形孔部が、前記延伸部を除く箇所にそれぞれ複数開口されていることを特徴とする。
【００１０】
これによれば、板状の接地部材と長尺の棒状の接地部材とを連結するときに接続用ピンの位置合わせを容易に行うことができる。
【００１１】
ここで、さらに、前記円形孔部の大きい方の径の開口面積よりも広い窓部が前記延伸部を除く箇所に開口されているのが好ましい。
【００１２】
これによれば、窓部から地中に既に打ち込まれている長尺棒状の第一接地部材の端部の位置を確認することができ、接続用ピンを容易に位置合わせして挿入し接続することができる。
【００１３】
また、前記中央部は、前記延伸部と面一に連なる中央平坦部と、幅方向中央に位置し、前記中央平坦部から段差をつけた中央段差部とで構成され、前記中央段差部に前記円形孔部が開口されているとするのがよい。
【００１４】
さらに、前記延伸部は、蛇腹状に形成され、幅方向へ網状に変形して伸長するのが好ましい。
【００１５】
これにより、長尺棒状の第一接地部材と板状部材との位置関係の状況に応じて、両者の接続位置を調整することができるようになる。
【発明の効果】
【００１６】
以上のように、本発明に係る接地極の板状部材によれば、板状の接地部材と長尺の棒状の接地部材とを連結するときに位置合わせを容易に行うことができる。
【図面の簡単な説明】
【００１７】
【図１】本実施の形態に係る接地極の板状部材の構成を示す平面図である。
【図２】図１の右側面図である。
【図３】図１の底面図である。
【図４】図１の正面図である。
【図５】底面側からの斜視図である。
【図６】接地極の板状部材を用いた接地極の構成を示す図である。
【図７】第２実施形態に係る接地極の板状部材の構成を示す平面図である。
【図８】図７の右側面図である。
【図９】図７の底面図である。
【図１０】図７の正面図である。
【図１１】底面側からの斜視図である。
【図１２】第２実施形態に係る接地極の板状部材の延伸部を伸ばした状態を示す平面図である。
【図１３】図１２の正面図である。
【図１４】底面側からの斜視図である。
【図１５】第２実施形態に係る接地極の板状部材の延伸部をさらに伸ばした状態を示す平面図である。
【図１６】図１６の正面図である。
【図１７】底面側からの斜視図である。
【図１８】第３実施形態に係る接地極の板状部材の構成を示す平面図である。
【図１９】図１８の右側面図である。
【図２０】図１８の底面図である。
【図２１】図１８の正面図である。
【図２２】底面側からの斜視図である。
【図２３】第３実施形態に係る接地極の板状部材の延伸部を伸ばした状態を示す平面図である。
【図２４】図２３の正面図である。
【図２５】底面側からの斜視図である。
【図２６】第３実施形態に係る接地極の板状部材の延伸部をさらに伸ばした状態を示す平面図である。
【図２７】図２６の正面図である。
【図２８】底面側からの斜視図である。
【図２９】第４実施形態に係る接地極の板状部材の構成を示す平面図である。
【図３０】図２９の右側面図である。
【図３１】図２９の底面図である。
【図３２】図２９の正面図である。
【図３３】底面側からの斜視図である。
【図３４】第４実施形態に係る接地極の板状部材の延伸部を伸ばした状態を示す平面図である。
【図３５】図３４の正面図である。
【図３６】底面側からの斜視図である。
【図３７】第４実施形態に係る接地極の板状部材の延伸部をさらに伸ばした状態を示す平面図である。
【図３８】図３７の正面図である。
【図３９】底面側からの斜視図である。
【図４０】第５実施形態に係る接地極の板状部材の構成を示す平面図である。
【図４１】図４０の右側面図である。
【図４２】図４０の底面図である。
【図４３】図４０の正面図である。
【図４４】底面側からの斜視図である。
【図４５】第５実施形態に係る接地極の板状部材の延伸部を伸ばした状態を示す平面図である。
【図４６】図４５の正面図である。
【図４７】底面側からの斜視図である。
【図４８】第５実施形態に係る接地極の板状部材の延伸部をさらに伸ばした状態を示す平面図である。
【図４９】図４８の正面図である。
【図５０】底面側からの斜視図である。
【図５１】従来の接地極の構成を示す図である。
【発明を実施するための形態】
【００１８】
以下、本発明の実施の形態について図面を参照しながら説明する。
【００１９】
図１は、本実施の形態に係る接地極の板状部材の構成を示す平面図である。図２は右側面図、図３は底面図、図４は正面図である。また、図５は、底面側から見た斜視図である。
【００２０】
本実施の形態に係る接地極の板状部材１は、電柱等に近接する場所の地中に埋設して接地電流を大地に逃がすための接地極に用いられる板状の接地部材である。
【００２１】
板状部材１は、導電性の良い銅等の金属製であり、中央の平板状の中央平坦部１１と、幅方向の中央に位置し、中央平坦部１１の平板から凸状に段差をつけて形成された中央段差部１２と、中央平坦部１１と面一に幅方向の両端へ連なる延伸部１３と、延伸部１３と面一に連なって幅方向の両端に位置する端部１４とを備えている。中央平坦部１１および中央段差部１２により板状部材１の幅方向の中央部が構成されることになる。
【００２２】
中央段差部１２には、地中に打ち込み可能な長尺の棒状の第一接地部材と連結するための接続用ピンを挿入するための孔である大径孔部１６と、大径孔部１６よりも小径の小径孔部１７と、接続用ピンを挿入する時に第一接地部材の端部を確認できるようにするための孔である覗き窓部１８が開口されている。また、中央段差部１２の上面には、リード線９を接続するためのリード端子１５も設けられている。両端の端部１４にも、それぞれ大径孔部１６と小径孔部１７とが開口されている。なお、大径孔部１６は１４φ用の孔であり、小径孔部１７は１０φ用の孔であり、２種類の異なる径の円形の孔部となっている。また、覗き窓部１８は、大径孔部１６の開口面積よりも広く開口されている。
【００２３】
図６は、接地極の板状部材を用いた接地極の構成を示す図である。
【００２４】
先端部６と連結部７とを備えた、長尺棒状の第一接地部材は、その一端が接続用ピン８により板状部材１と電気的に接続される。このとき、中央にある中央段差部１２と端部１４には、それぞれ複数の大径孔部１６および小径孔部１７が開口されているため、状況に応じて第一接地部材と板状部材１との接続位置を調整することができる。また、中央段差部１２に穿設されている覗き窓部１８から地中に既に打ち込まれている第一接地部材の端部の位置を確認することができるので、容易に位置合わせをして接続用ピン８を挿入することが可能となる。
【００２５】
図７は、第２実施形態に係る接地極の板状部材の構成を示す平面図であり、図８は右側面図、図９は底面図、図１０は正面図である。また、図１１は、底面側から見た斜視図である。
【００２６】
第２実施形態に係る板状部材２は、延伸部２３が伸長可能に構成されている点が、上記の第１実施形態に係る板状部材１と異なる点である。以下、この相違点を中心に説明する。
【００２７】
中央平坦部２１と面一に両端へ向けて連なる延伸部２３は蛇腹状に形成され、端部２４を把持して引っ張ると延伸部２３が幅方向へ網状に変形して伸長するよう構成されている。
【００２８】
図１２は、板状部材２の延伸部２３を伸ばした状態を示す平面図であり、図１３は、その正面図である。また、図１４は、底面側から見た斜視図である。図１２ないし図１４では、延伸部２３が伸長度として５０％程度、すなわち、半分程度伸ばされた状態を示している。
【００２９】
図１５はさらに延伸部２３を伸長させた状態を示す平面図であり、図１６はその正面図である。また、図１７は、底面側から見た斜視図である。図１５ないし図１７では、延伸部２３が伸長度として１００％、すなわち、完全に伸ばされた状態を示している。
【００３０】
このように、段階的に延伸部２３を伸長可能に構成することで、第一接地部材と板状部材２との位置関係の状況に応じて、両者の接続位置を調整することができるようになる。
【００３１】
図１８は、第３実施形態に係る接地極の板状部材の構成を示す平面図であり、図１９は右側面図、図２０は底面図、図２１は正面図である。また、図２２は、底面側から見た斜視図である。
【００３２】
第３実施形態に係る板状部材３は、中央段差部に大径孔部３６および小径孔部３７に加えて、複数の覗き窓部３８を開口した点が上記第１実施形態および第２実施形態と異なっている。このように複数の覗き窓部３８を備えることで、第一接地部材と板状部材３との位置合わせをより容易に行うことができるようになる。
【００３３】
なお、図２３は、板状部材３の延伸部３３を５０％伸ばした状態を示す平面図であり、図２４は、その正面図である。また、図２５は、底面側から見た斜視図である。
【００３４】
図２６はさらに延伸部３３を伸長させて１００％伸ばした状態を示す平面図であり、図２７はその正面図である。また、図２８は、底面側から見た斜視図である。
【００３５】
図２９は、第４実施形態に係る接地極の板状部材の構成を示す平面図であり、図３０は右側面図、図３１は底面図、図３２は正面図である。また、図３３は、底面側から見た斜視図である。
【００３６】
第４実施形態に係る板状部材４は、大径孔部４６、小径孔部４７および覗き窓部４８の配列パターンを第３実施形態の板状部材３と異にするものである。
【００３７】
なお、図３４は、板状部材４の延伸部４３を５０％伸ばした状態を示す平面図であり、図３５は、その正面図である。また、図３６は、底面側から見た斜視図である。
【００３８】
図３７はさらに延伸部４３を伸長させて１００％伸ばした状態を示す平面図であり、図３８はその正面図である。また、図３９は、底面側から見た斜視図である。
【００３９】
図４０は、第５実施形態に係る接地極の板状部材の構成を示す平面図であり、図４１は右側面図、図４２は底面図、図４３は正面図である。また、図４４は、底面側から見た斜視図である。
【００４０】
第５実施形態の板状部材５は、中央段差部５２に大径孔部５６、小径孔部５７および覗き窓部５８を開口し、端部にそれぞれ大径孔部５６および小径孔部５７を開口するだけでなく、中央平坦部５１にも大径孔部５６および小径孔部５７をそれぞれ開口している点で上記各実施形態と異なっている。このように、板状部材５の延伸部を除く部分に大径孔部５６および小径孔部５７を開口することで、第一接地部材と板状部材５との位置関係のあらゆる状況に対応して接続位置を調整することを可能にしている。
【００４１】
なお、図４５は、板状部材５の延伸部５３を５０％伸ばした状態を示す平面図であり、図４６は、その正面図である。また、図４７は、底面側から見た斜視図である。
【００４２】
図４８はさらに延伸部５３を伸長させて１００％伸ばした状態を示す平面図であり、図４９はその正面図である。また、図５０は、底面側から見た斜視図である。
【００４３】
このように構成される接地極の板状部材によれば、板状部材の幅方向の中央部や両端部など、延伸部を除く部分に接続用ピンを挿入するための径の異なる孔が複数開口されているので、板状の接地部材と長尺棒状の接地部材とを連結するときの位置合わせを容易に行うことができる。
【００４４】
以上、本発明に係る接地極の板状部材について、実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００４５】
例えば、上記各実施形態では、中央段差部が中央平坦部の平板から凸状に段差を付けて設けられているが、中央段差部は凹状に段差をつけて形成するとしてもよい。また、中央段差部を設けるとしているが、中央段差部を設けずに中央平坦部と面一に連なる平板にして中央部を構成してもよい。
【００４６】
また、覗き窓部を中央段差部に設けるとしているが、中央平坦部や端部に設けるとしてもよい。さらに、矩形の覗き窓部を図示しているが、覗き窓部の開口形状は矩形に限られず、楕円形状などであってもよい。
【産業上の利用可能性】
【００４７】
本発明に係る接地極の板状部材は、電柱等に近接する場所の地中に埋設して接地電流を大地に逃がすための接地極の構成部品として有用である。
【符号の説明】
【００４８】
１，２，３，４，５，９１      板状部材
６，９２                      先端部
７，９３                      連結部
８，９４                      接続用ピン
９，９５                      リード線
１１，２１，３１，４１，５１  中央平坦部
１２，２２，３２，４２，５２  中央段差部
１３，２３，３３，４３，５３  延伸部
１４，２４，３４，４４，５４  端部
１５，２５，３５，４５，５５  リード端子
１６，２６，３６，４６，５６  大径孔部
１７，２７，３７，４７，５７  小径孔部
１８，２８，３８，４８，５８  覗き窓部
【図１】
2019125415.tif 000003
【図２】
2019125415.tif 000004
【図３】
2019125415.tif 000005
【図４】
2019125415.tif 000006
【図５】
2019125415.tif 000007
【図６】
2019125415.tif 000008
【図７】
2019125415.tif 000009
【図８】
2019125415.tif 000010
【図９】
2019125415.tif 000011
【図１０】
2019125415.tif 000012
【図１１】
2019125415.tif 000013
【図１２】
2019125415.tif 000014
【図１３】
2019125415.tif 000015
【図１４】
2019125415.tif 000016
【図１５】
2019125415.tif 000017
【図１６】
2019125415.tif 000018
【図１７】
2019125415.tif 000019
【図１８】
2019125415.tif 000020
【図１９】
2019125415.tif 000021
【図２０】
2019125415.tif 000022
【図２１】
2019125415.tif 000023
【図２２】
2019125415.tif 000024
【図２３】
2019125415.tif 000025
【図２４】
2019125415.tif 000026
【図２５】
2019125415.tif 000027
【図２６】
2019125415.tif 000028
【図２７】
2019125415.tif 000029
【図２８】
2019125415.tif 000030
【図２９】
2019125415.tif 000031
【図３０】
2019125415.tif 000032
【図３１】
2019125415.tif 000033
【図３２】
2019125415.tif 000034
【図３３】
2019125415.tif 000035
【図３４】
2019125415.tif 000036
【図３５】
2019125415.tif 000037
【図３６】
2019125415.tif 000038
【図３７】
2019125415.tif 000039
【図３８】
2019125415.tif 000040
【図３９】
2019125415.tif 000041
【図４０】
2019125415.tif 000042
【図４１】
2019125415.tif 000043
【図４２】
2019125415.tif 000044
【図４３】
2019125415.tif 000045
【図４４】
2019125415.tif 000046
【図４５】
2019125415.tif 000047
【図４６】
2019125415.tif 000048
【図４７】
2019125415.tif 000049
【図４８】
2019125415.tif 000050
【図４９】
2019125415.tif 000051
【図５０】
2019125415.tif 000052
【図５１】
2019125415.tif 000053